【手続補正書】
【提出日】令和1年12月17日(2019.12.17)
【手続補正１】
【補正対象書類名】特許請求の範囲
【補正対象項目名】全文
【補正方法】変更
【補正の内容】
【特許請求の範囲】
【請求項１】
データ相互処理の方法であって：
取引ユーザエンドと取引処理エンドとの間の進行中の相互処理のための認証データを収集するステップであって、前記認証データは、インテリジェント端末によってリモートサーバから取得される、ステップ（１０１）と；
前記認証データと前記進行中の相互処理のデータとを記録するステップ（１０２）と；
前記進行中の相互処理に関連付けられた取引を完了するステップと；を備える、
データ相互処理の方法。
【請求項２】
前記認証データと前記進行中の相互処理のデータと１又は複数の過去の取引とを前記リモートサーバを用いて所定時にチェックするステップを更に備える、
請求項１に記載の方法。
【請求項３】
インテリジェント端末によってリモートサーバから取得される進行中の相互処理のための認証データを収集するステップは：
前記認証データに基づいて前記インテリジェント端末によって生成されるバーコードを走査して前記認証データを取得するステップ；又は、
無線通信を介して前記インテリジェント端末から前記認証データを取得するっステップ；を更に備える、
請求項１又は請求項２に記載の方法。
【請求項４】
前記バーコードは一次元バーコード及び／又は二次元バーコードを含み、前記無線通信は近距離無線通信又はＲＦＩＤを含む、
請求項３に記載の方法。
【請求項５】
インテリジェント端末によってリモートサーバから取得される進行中の相互処理のための認証データを収集する前記ステップの後、以下の操作：
前記認証データに含まれる時間情報を現在の時刻と比較し、前記現在の時刻が前記認証データに含まれる前記時間情報よりも遅い場合、前記認証データが期限切れであると特定し、前記進行中のデータ相互処理を取り消す操作；
前記認証データに含まれる乱数が前のデータ相互処理において存在するかどうかを特定し、肯定である場合、前記認証データが繰り返し用いられていると特定し、前記進行中のデータ相互処理を取り消す操作；及び、
前記進行中の相互処理のデータが前記認証データの閾値を超えているかどうかを特定し、肯定である場合、前記進行中のデータ相互処理を取り消す操作；のうちの１つ以上を実行して前記認証データを検証するステップを更に備える、
請求項１乃至請求項４のいずれか１項に記載の方法。
【請求項６】
前記インテリジェント端末によって前記リモートサーバから取得される前記進行中の相互処理のための前記収集した認証データは、秘密鍵を用いることによって前記認証データに署名するために前記リモートサーバに用いられる署名情報を更に含み；また、
インテリジェント端末によってリモートサーバから取得される進行中の相互処理のための認証データを収集する前記ステップの後で、前記認証データと前記進行中の相互処理のデータとを記録する前記ステップの前に：
前記リモートサーバから予め取得された公開鍵を用いて前記署名情報を検証し、前記認証データが前記リモートサーバによって送信されたかどうかを特定するステップであって、肯定である場合、前記認証データと前記進行中の相互処理のデータとが記録される、ステップを更に備える、
請求項１乃至請求項５のいずれか１項に記載の方法。
【請求項７】
相互処理端末によって前記認証データを処理するステップを更に備える、
請求項１乃至請求項６のいずれか１項に記載の方法。
【請求項８】
前記ユーザの一意の識別子をリモートサーバへ送信するステップと；
ユーザ情報を含み、前記一意の識別子に基づいて前記リモートサーバによって生成される認証データを受信するステップと；を更に備える、
請求項１乃至請求項７のいずれか１項に記載の方法。
【請求項９】
前記認証データは、現在の認証の時間情報、前記現在の認証の乱数、及び閾値を更に含む、
請求項８に記載の方法。
【請求項１０】
前記認証データは、パスワードを用いて暗号化され、秘密鍵を用いて署名されたユーザ情報を備える、
請求項１乃至請求項９のいずれか１項に記載の方法。
【請求項１１】
前記進行中の相互処理に関連付けられている前記取引は、オフラインで完結する、
請求項１乃至請求項１０のいずれか１項に記載の方法。
【請求項１２】
請求項１乃至請求項１１のいずれか１項に記載の方法を実行するように構成された複数のモジュールを備える、
データ相互処理のための装置。
【手続補正２】
【補正対象書類名】明細書
【補正対象項目名】０１９０
【補正方法】変更
【補正の内容】
【０１９０】
本願は複数の実施を通して説明されている。しかし、当業者は、本願の多くの修正及び変形例が本願の主旨から逸脱することなく成し得ることを知っている。特許請求の範囲は、本願の適用範囲から逸脱することなく、これらの修正及び変形例を含むことを意図している。
以下、本発明の実施の態様の例を列挙する。
［第１の局面］
データ相互処理方法であって：
インテリジェント端末によってリモートサーバから取得される進行中の相互処理のための認証データを収集するステップと；
前記認証データと前記進行中の相互処理のデータとを記録するステップと；を備える、
データ相互処理方法。
［第２の局面］
所定時に前記認証データと前記進行中の相互処理のデータとを前記リモートサーバを用いてチェックするステップを更に備える、
第１の局面に記載のデータ相互処理方法。
［第３の局面］
インテリジェント端末によってリモートサーバから取得される進行中の相互処理のための認証データを収集する前記ステップは：
前記認証データに基づいて前記インテリジェント端末によって生成されるバーコードを走査して前記認証データを取得するステップ；又は、
無線通信を介して前記インテリジェント端末から前記認証データを取得するっステップ；を更に備える、
第１の局面に記載のデータ相互処理方法。
［第４の局面］
前記バーコードは一次元バーコード及び／又は二次元バーコードを含み、前記無線通信は近距離無線通信又はＲＦＩＤを含む、
第３の局面に記載のデータ相互処理方法。
［第５の局面］
インテリジェント端末によってリモートサーバから取得される進行中の相互処理のための認証データを収集する前記ステップの後、以下の操作：
前記認証データに含まれる時間情報を現在の時刻と比較し、前記現在の時刻が前記認証データに含まれる前記時間情報よりも遅い場合、前記認証データが期限切れであると特定し、前記進行中のデータ相互処理を取り消す操作；
前記認証データに含まれる乱数が前のデータ相互処理において存在するかどうかを特定し、肯定である場合、前記認証データが繰り返し用いられていると特定し、前記進行中のデータ相互処理を取り消す操作；及び、
前記進行中の相互処理のデータが前記認証データの閾値を超えているかどうかを特定し、肯定である場合、前記進行中のデータ相互処理を取り消す操作；のうちの１つ以上を実行して前記認証データを検証するステップを更に備える、
第１の局面に記載のデータ相互処理方法。
［第６の局面］
前記インテリジェント端末によって前記リモートサーバから取得される前記進行中の相互処理のための前記収集した認証データは、秘密鍵を用いることによって前記認証データに署名するために前記リモートサーバに用いられる署名情報を更に含み；また、
インテリジェント端末によってリモートサーバから取得される進行中の相互処理のための認証データを収集する前記ステップの後で、前記認証データと前記進行中の相互処理のデータとを記録する前記ステップの前に：
前記リモートサーバから予め取得された公開鍵を用いて前記署名情報を検証し、前記認証データが前記リモートサーバによって送信されたかどうかを特定するステップであって、肯定である場合、前記認証データと前記進行中の相互処理のデータとが記録される、前記リモートサーバから予め取得された公開鍵を用いて前記署名情報を検証し、前記認証データが前記リモートサーバによって送信されたかどうかを特定するステップを更に備える、
第１の局面に記載のデータ相互処理方法。
［第７の局面］
データ相互処理方法であって：
ユーザの進行中の相互処理のための認証データをリモートサーバから取得するステップと；
相互処理端末が前記認証データに基づいて処理を実行できるように、前記相互処理端末に前記認証データを提供するステップと；を備える、
データ相互処理方法。
［第８の局面］
ユーザの進行中の相互処理のための認証データをリモートサーバから取得する前記ステップは：
前記ユーザの一意の識別子を前記リモートサーバへ送信するステップと；
ユーザ情報を含み、前記一意の識別子に基づいて前記リモートサーバによって生成される認証データを受信するステップと；を備える、
第７の局面に記載のデータ相互処理方法。
［第９の局面］
前記認証データは、現在の認証の時間情報、前記現在の認証の乱数、及び閾値を更に含む、
第８の局面に記載のデータ相互処理方法。
［第１０の局面］
データ相互処理方法であって：
インテリジェント端末を介してユーザによって送信される認証要求を取得するステップと；
前記インテリジェント端末からの前記認証要求に基づいて、前記ユーザの進行中の相互処理のための認証データを前記インテリジェント端末へ送信するステップと；を備える、
データ相互処理方法。
［第１１の局面］
前記認証要求は前記ユーザの一意の識別子を含み、
前記ユーザの進行中の相互処理のための認証データを前記インテリジェント端末へ送信する前記ステップは：
前記一意の識別子に基づいて、ユーザ情報を含む認証データを生成するステップと；
前記ユーザの前記進行中の相互処理のための前記認証データを前記インテリジェント端末へ送信するステップと；を備える、
第１０の局面に記載のデータ相互処理方法。
［第１２の局面］
前記ユーザの進行中の相互処理のための認証データを前記インテリジェント端末へ送信する前記ステップは：
前記ユーザ情報を暗号化するステップと；
秘密鍵を用いて前記認証データに署名するステップと；
パスワードを用いて署名情報と前記認証データとを前記インテリジェント端末へ送付するステップと；を備える、
第１１の局面に記載のデータ相互処理方法。
［第１３の局面］
相互処理端末であって：
インテリジェント端末によってリモートサーバから取得される進行中の相互処理のための認証データを収集するように構成される収集ユニットと；
前記認証データと前記進行中の相互処理のデータとを記録するように構成される記録ユニットと；を備える、
相互処理端末。
［第１４の局面］
所定時に前記認証データと前記進行中の相互処理のデータとを前記リモートサーバを用いて確認するように構成されるチェックユニットを更に備える、
第１３の局面に記載の相互処理端末。
［第１５の局面］
前記収集ユニットは、前記認証データに基づき前記インテリジェント端末によって生成されるバーコードを走査して前記認証データを取得するように構成される走査モジュール；又は、
前記収集ユニットは、無線通信を介して前記インテリジェント端末から前記認証データを取得するように構成される無線通信モジュール；を更に備える、
第１４の局面に記載の相互処理端末。
［第１６の局面］
前記バーコードは一次元バーコード及び／又は二次元バーコードを含み、前記無線通信は近距離無線通信又はＲＦＩＤを含む、
第１５の局面に記載の相互処理端末。
［第１７の局面］
以下の操作：
前記認証データに含まれる時間情報を現在の時刻と比較し、前記現在の時刻が前記認証データに含まれる前記時間情報よりも遅い場合、前記認証データが期限切れであると特定し、前記進行中のデータ相互処理を取り消す操作；
前記認証データに含まれる乱数が前のデータ相互処理において存在するかどうかを特定し、肯定である場合、前記認証データが繰り返し用いられていると特定し、前記進行中のデータ相互処理を取り消す操作；及び、
前記進行中の相互処理のデータが前記認証データの閾値を超えているかどうかを特定し、肯定である場合、前記進行中のデータ相互処理を取り消す操作；のうちの１つ以上を実行して前記認証データを検証するように構成される検証ユニットを更に備える、
第１３の局面に記載の相互処理端末。
［第１８の局面］
前記インテリジェント端末によって前記リモートサーバから取得される前記進行中の相互処理のための前記収集した認証データは、秘密鍵を用いて前記認証データに署名するために前記リモートサーバによって用いられる署名情報を更に含み、
前記相互処理端末は：
前記リモートサーバから予め取得される公開鍵を用いて前記署名情報を検証し、前記認証データが前記リモートサーバによって送信されたかどうかを特定するように構成される署名検証ユニットであって、肯定である場合、前記記録ユニットが前記認証データと前記進行中の相互処理のデータとを記録する、前記リモートサーバから予め取得される公開鍵を用いて前記署名情報を検証し、前記認証データが前記リモートサーバによって送信されたかどうかを特定するように構成される署名検証ユニットを更に備える、
第１３の局面に記載の相互処理端末。
［第１９の局面］
インテリジェント端末であって：
ユーザの進行中の相互処理のための認証データをリモートサーバから取得するように構成される取得ユニットと；
前記相互処理端末が前記認証データに基づき処理を実行できるように、相互処理端末に前記認証データを提供するように構成される通信ユニットと；を備える、
インテリジェント端末。
［第２０の局面］
前記取得ユニットは、更に：前記ユーザの一意の識別子を前記リモートサーバへ送信するように構成されるとともに；ユーザ情報を含み、前記一意の識別子に基づいて前記リモートサーバによって生成される、認証データ、を受信するように構成される、
第１９の局面に記載のインテリジェント端末。
［第２１の局面］
前記認証データは、現在の認証の時間情報、前記現在の認証の乱数、及び閾値を更に含む、
第１９の局面に記載のインテリジェント端末。
［第２２の局面］
リモートサーバであって：
インテリジェント端末を介してユーザによって送信される認証要求を取得するように構成される取得ユニットと；
前記インテリジェント端末からの前記認証要求に基づき、前記ユーザの進行中の相互処理のための認証データを前記インテリジェント端末へ送信するように構成される処理ユニットと；を備える、
リモートサーバ。
［第２３の局面］
前記認証要求は前記ユーザの一意の識別子を含み、
前記処理ユニットは：前記一意の識別子に基づいてユーザ情報を含む認証データを生成し；前記ユーザの前記現在の相互処理のための前記認証データを前記インテリジェント端末へ送信するように構成される、
第２２の局面に記載のリモートサーバ。
［第２４の局面］
前記処理ユニットが前記ユーザの進行中の相互処理のための認証データを前記インテリジェント端末へ送信することは：
前記ユーザ情報を暗号化するステップと；
秘密鍵を用いて前記認証データに署名するステップと；
パスワードを用いて署名情報と前記認証データとを前記インテリジェント端末へ送付するステップと；を備える、
第２２の局面に記載のリモートサーバ。
［第２５の局面］
オフラインクレジット決済方法であって：
インテリジェント端末によってリモートサーバから取得される進行中の取引のためのクレジット認証データを収集するステップと；
前記クレジット認証データと前記進行中の取引のデータとを記録するステップと；を備える、
オフラインクレジット決済方法。
［第２６の局面］
前記クレジット認証データと前記進行中の取引のデータとが記録された後：
所定時間に前記クレジット認証データと前記進行中の取引のデータとを前記リモートサーバに確認するステップを更に備える、
第２５の局面に記載のオフラインクレジット決済方法。
［第２７の局面］
前記進行中の取引のための前記クレジット認証データは、少なくとも、現在のクレジット認証の時間情報、前記現在のクレジット認証の乱数、ユーザ口座情報、及びクレジット限度額を含む、
第２５の局面に記載のオフラインクレジット決済方法。
［第２８の局面］
インテリジェント端末によってリモートサーバから取得される進行中の取引のためのクレジット認証データを収集するステップは：
前記クレジット認証データに基づいて前記インテリジェント端末によって生成されるバーコードを走査して前記クレジット認証データを取得するステップ；又は、
無線通信を介して前記インテリジェント端末から前記クレジット認証データを取得するステップ；を更に備える、
第２５の局面に記載のオフラインクレジット決済方法。
［第２９の局面］
前記バーコードは一次元バーコード及び／又は二次元バーコードを含み、前記無線通信は近距離無線通信又はＲＦＩＤを含む、
第２８の局面に記載のオフラインクレジット決済方法。
［第３０の局面］
前記インテリジェント端末によってリモートサーバから取得される進行中の取引のためのクレジット認証データを収集するステップの後、以下の操作：
前記クレジット認証データに含まれる時間情報を現在の時刻と比較し、前記現在の時刻が前記クレジット認証データに含まれる前記時間情報よりも遅い場合、前記クレジット認証データが期限切れであると特定し、前記進行中の取引を取り消す操作；
前記クレジット認証データに含まれる乱数が前の取引データにおいて存在するかどうかを特定し、肯定である場合、前記クレジット認証データが繰り返し用いられていると特定し、前記進行中の取引を取り消す操作；及び、
進行中の取引の金額が前記クレジット認証データに含まれるクレジット限度額を超えているかどうかを特定し、肯定である場合、前記進行中の取引を取り消す操作；のうちの１つ以上を実行して前記クレジット認証データを検証するステップを更に備える、
第２５の局面に記載のオフラインクレジット決済方法。
［第３１の局面］
前記インテリジェント端末によって前記リモートサーバから取得される前記進行中の取引のための前記収集したクレジット認証データは、秘密鍵を用いて前記クレジット認証データに署名するために前記リモートサーバに用いられる署名情報を更に含み；
前記インテリジェント端末によってリモートサーバから取得される進行中の取引のためのクレジット認証データを収集するステップの後で、前記クレジット認証データと前記進行中の取引のデータとを記録するステップの前に、
前記リモートサーバから予め取得される公開鍵を用いて前記署名情報を検証し、前記クレジット認証データが前記リモートサーバによって送信されたかどうかを特定するステップであって、肯定である場合、前記クレジット認証データと前記進行中の取引のデータとが記録される、前記リモートサーバから予め取得される公開鍵を用いて前記署名情報を検証し、前記クレジット認証データが前記リモートサーバによって送信されたかどうかを特定するステップを更に備える、
第２５の局面に記載のオフラインクレジット決済方法。
［第３２の局面］
オフラインクレジット決済方法であって：
ユーザの進行中の取引のためのクレジット認証データをリモートサーバから取得するステップと；
料金引き落とし端末が前記クレジット認証データに基づいて処理を実行するように、前記料金引き落とし端末へ前記クレジット認証データを提供するステップと；を備える、
オフラインクレジット決済方法。
［第３３の局面］
ユーザの進行中の取引のためのクレジット認証データをリモートサーバから取得する前記ステップは：
前記ユーザの一意の識別子を前記リモートサーバへ送信するステップと；
ユーザ口座情報を含み、前記一意の識別子に基づいて前記リモートサーバによって生成されるクレジット認証データを受信するステップと；を更に備える、
第３２の局面に記載のオフラインクレジット決済方法。
［第３４の局面］
前記クレジット認証データは、現在のクレジット認証の時間情報、前記現在のクレジット認証の乱数、及びクレジット限度額を更に含む、
第３２の局面に記載のオフラインクレジット決済方法。
［第３５の局面］
オフライン決済方法であって：
インテリジェント端末を介してユーザによって送信されるクレジット認証要求を取得するステップと；
前記インテリジェント端末からの前記クレジット認証要求に基づき、前記ユーザの進行中の取引のためのクレジット認証データを前記インテリジェント端末へ送信するステップと；を備える、
オフライン決済方法。
［第３６の局面］
前記クレジット認証要求は前記ユーザの一意の識別子を含み、
前記ユーザの進行中の取引のためのクレジット認証データを前記インテリジェント端末へ送信する前記ステップは：
前記一意の識別子に基づきユーザ情報を含むクレジット認証データを生成するステップと；
前記ユーザの前記進行中の取引のための前記クレジット認証データを前記インテリジェント端末へ送信するステップと；を備える、
第３５の局面に記載のオフライン決済方法。
［第３７の局面］
前記ユーザの進行中の取引のためのクレジット認証データを前記インテリジェント端末へ送信する前記ステップは：
前記ユーザ情報を暗号化するステップと；
秘密鍵を用いて前記クレジット認証データに署名するステップと；
パスワードを用いて署名情報と前記クレジット認証データとを前記インテリジェント端末へ送付するステップと；を備える、
第３６の局面に記載のオフライン決済方法。
［第３８の局面］
料金引き落とし端末であって：
インテリジェント端末によってリモートサーバから取得される進行中の取引のためのクレジット認証データを収集するように構成される収集ユニットと；
前記クレジット認証データと前記進行中の取引のデータとを記録するように構成される記録ユニットと；を備える、
料金引き落とし端末。
［第３９の局面］
所定時間に前記クレジット認証データと前記進行中の取引のデータとを前記リモートサーバに確認するように構成されるチェックユニットを更に備える、
第３８の局面に記載の料金引き落とし端末。
［第４０の局面］
前記進行中の取引のための前記クレジット認証データは、少なくとも、現在のクレジット認証の時間情報、前記現在のクレジット認証の乱数、ユーザ口座情報、及びクレジット限度額を含む、
第３８の局面に記載の料金引き落とし端末。
［第４１の局面］
前記収集ユニットは、前記クレジット認証データに基づいて前記インテリジェント端末によって生成されるバーコードを走査して前記クレジット認証データを取得するように構成される走査モジュール；又は、
前記収集ユニットは、無線通信を介して前記インテリジェント端末から前記クレジット認証データを取得するように構成される無線通信モジュールを更に備える、
第３８の局面に記載の料金引き落とし端末。
［第４２の局面］
前記バーコードは一次元バーコード及び／又は二次元バーコードを備え、前記無線通信は近距離無線通信又はＲＦＩＤを備える、
第４１の局面に記載の料金引き落とし端末。
［第４３の局面］
以下の操作：
前記クレジット認証データに含まれる時間情報を現在の時刻と比較し、前記現在の時刻が前記クレジット認証データに含まれる前記時間情報よりも遅い場合、前記クレジット認証データが期限切れであると特定し、前記進行中の取引を取り消す操作；
前記クレジット認証データに含まれる乱数が前の取引データにおいて存在するかどうかを特定し、肯定である場合、前記クレジット認証データが繰り返し用いられていると特定し、前記進行中の取引を取り消す操作；及び、
前記進行中の取引の金額が前記クレジット認証データに含まれるクレジット限度額を超えているかどうかを特定し、肯定である場合、前記進行中の取引を取り消す操作；のうちの１つ以上を実行して前記クレジット認証データを検証するように構成される検証ユニットを更に備える、
第３８の局面に記載の料金引き落とし端末。
［第４４の局面］
前記インテリジェント端末によって前記リモートサーバから取得される前記進行中の取引のための前記収集したクレジット認証データは、秘密鍵を用いて前記クレジット認証データに署名するために前記リモートサーバに用いられる署名情報を更に含み、
前記料金引き落とし端末は：
前記リモートサーバから予め取得される公開鍵を用いて前記署名情報を検証するように構成されるとともに、前記クレジット認証データが前記リモートサーバによって送信されたかどうかを特定し、肯定である場合、前記記録ユニットが前記クレジット認証データと前記進行中の取引のデータとを記録するように構成される、署名検証ユニットを更に備える、
第３８の局面に記載の料金引き落とし端末。
［第４５の局面］
インテリジェント端末であって：
ユーザの進行中の取引のためのクレジット認証データをリモートサーバから取得するように構成される取得ユニットと；
料金引き落とし端末がクレジット認証データに基づいて処理を実行するように、前記料金引き落とし端末へクレジット認証データを提供するように構成される通信ユニットと；を備える、
インテリジェント端末。
［第４６の局面］
前記取得ユニットは、更に：前記ユーザの一意の識別子を前記リモートサーバへ送信するように構成されるとともに、ユーザ口座情報を含み、前記一意の識別子に基づいて前記リモートサーバによって生成されるクレジット認証データを受信するように構成される、
第４５の局面に記載のインテリジェント端末。
［第４７の局面］
前記クレジット認証データは、現在のクレジット認証の時間情報、前記現在のクレジット認証の乱数、及びクレジット限度額を更に含む、
第４５の局面に記載のインテリジェント端末。
［第４８の局面］
リモートサーバであって：
インテリジェント端末を介してユーザによって送信されるクレジット認証要求を取得するように構成される取得ユニットと；
前記インテリジェント端末からの前記クレジット認証要求に基づき前記ユーザの進行中の取引のためのクレジット認証データを前記インテリジェント端末へ送信するように構成される処理ユニットと；を備える、
リモートサーバ。
［第４９の局面］
前記クレジット認証要求は前記ユーザの一意の識別子を含み、
前記処理ユニットは：前記一意の識別子に基づいてユーザ情報を備えるクレジット認証データを生成し、前記ユーザの前記進行中の取引のための前記クレジット認証データを前記インテリジェント端末へ送信するように構成される、
第４８の局面に記載のリモートサーバ。
［第５０の局面］
前記処理ユニットが前記ユーザの進行中の取引のためのクレジット認証データを前記インテリジェント端末へ送信することは：
前記ユーザ情報を暗号化するステップと；
秘密鍵を用いて前記クレジット認証データに署名するステップと；
パスワードを用いて署名情報と前記クレジット認証データとを前記インテリジェント端末へ送付するステップと；を備える、
第４８の局面に記載のリモートサーバ。
［第５１の局面］
インテリジェント端末と、リモートサーバと、料金引き落とし端末とを備えるオフラインクレジット決済システムであって：
前記リモートサーバは、前記インテリジェント端末からのクレジット認証要求に基づき、ユーザの進行中の取引のためのクレジット認証データを前記インテリジェント端末へ送信するように構成され；
前記インテリジェント端末は、前記クレジット認証データを前記リモートサーバから取得するように構成され；
前記料金引き落とし端末は：前記クレジット認証データを前記インテリジェント端末から収集し、前記クレジット認証データと前記進行中の取引のデータとを記録するように構成される；
オフラインクレジット決済システム。